(57)【要約】【課題】操作者が掃除を行いながら充分な量のマイナスイオンを浴びたり吸い込んだりすることができて、充分なマイナスイオン効果を得ることができる電気掃除機を提供すること。【解決手段】この電気掃除機１は、操作者が保持するためのハンドル４を掃除機本体２の上方２ａに備えた電気掃除機１において、マイナスイオンを発生させるマイナスイオン発生器１１を掃除機本体２内に設け、ハンドル４を保持する操作者に向けてマイナスイオンを放出する吹出し口１２を掃除機本体２の壁面に形成したものである。【選択図】図１
2004057228.tif 000002
【特許請求の範囲】
【請求項１】
操作者が保持するためのハンドルを掃除機本体の上方に備えた電気掃除機において、
マイナスイオンを発生させるマイナスイオン発生器を前記掃除機本体内に設け、
前記ハンドルを保持する前記操作者に向けて前記マイナスイオンを放出する吹出し口を前記掃除機本体の壁面に形成したことを特徴とする電気掃除機。
【請求項２】
前記操作者に向けて前記マイナスイオンを放出する前記吹出し口を、前記ハンドルに形成したことを特徴とする請求項１に記載の電気掃除機。
【請求項３】
操作者が保持するための手元ハンドルを備え、かつ、塵埃を吸込むための吸込口を有する吸込口体の操作を手元で行うとともに前記吸込口に連通する風路菅を有する手元操作体を有する電気掃除機において、
マイナスイオンを発生させるマイナスイオン発生器を前記手元操作体内に設け、
前記手元ハンドルを保持する前記操作者に向けて前記マイナスイオンを放出する吹出し口を前記手元操作体の壁面に形成したことを特徴とする電気掃除機。
【請求項４】
前記マイナスイオンを前記操作者に向けて吹き付けるための吹き付け手段を設けたことを特徴とする請求項１から請求項３のうちいずれか１項に記載の電気掃除機。
【請求項５】
前記マイナスイオンの発生中であることを示す表示部を設けたことを特徴とする請求項１から請求項４のうちいずれか１項に記載の電気掃除機。
【発明の詳細な説明】
【０００１】
【発明の属する技術分野】
本発明は、マイナスイオン発生器を備えた電気掃除機に関する。
【０００２】
【従来の技術】
近年、マイナスイオンの人体に対する有効性が注目されている。マイナスイオンとは負の電位を帯びた空気分子等のことであり、人がそのマイナスイオンを浴びたり吸い込んだりすることにより、体調が良くなる・ストレスが減少する・リラックスする等の良好な効果（以下、マイナスイオン効果という）を得ることができると言われている。
【０００３】
このマイナスイオンは自然界にも存在するが、マイナスイオン発生器の電極に高電圧を印加することにより発生させることもできる。したがって、居室空間に積極的にマイナスイオンを放出してその有効性を利用すべく、最近はエアコン・扇風機等の電気製品にマイナスイオン発生器を設けたものが多く見られる。
【０００４】
電気掃除機にもマイナスイオン発生器を設けたものがある。この電気掃除機によれば、部屋の掃除を行うと掃除機本体の後方排気口から排気とともにマイナスイオンが放出される。部屋内にマイナスイオンが放出されることによって、掃除を行っている者（以下、操作者という）もそのマイナスイオンを浴びたり吸い込んだりするので、掃除を行いながらマイナスイオン効果を得ることができるというものである。
【０００５】
【発明が解決しようとする課題】
しかしながら、この従来の電気掃除機によれば掃除機本体の後方排気口からマイナスイオンが放出されるので、操作者に直接到達することはなく、マイナスイオンは部屋の空気中に拡散して、その空気中のマイナスイオン濃度は低いものとなってしまっていた。
【０００６】
電気掃除機に備えることのできるマイナスイオン発生器の大きさには限度があり、それにより発生させることのできるマイナスイオン量にも限度がある。したがって部屋全体を充分なマイナスイオン濃度とすることは困難であり、結果的に操作者が浴びたり吸い込んだりすることのできるマイナスイオン量は微量に過ぎないという問題があった。
【０００７】
本発明は上記の事情に鑑みて為されたもので、操作者が掃除を行いながら充分な量のマイナスイオンを浴びたり吸い込んだりすることができて、充分なマイナスイオン効果を得ることができる電気掃除機を提供することを課題とする。
【０００８】
【課題を解決するための手段】
上記の課題を解決するために、本発明は、操作者が保持するためのハンドルを掃除機本体の上方に備えた電気掃除機において、マイナスイオンを発生させるマイナスイオン発生器を掃除機本体内に設け、ハンドルを保持する操作者に向けてマイナスイオンを放出する吹出し口を掃除機本体の壁面に形成したことを特徴とする。
【０００９】
【発明の実施の形態】
以下、本発明の実施の形態を図面に基づいて説明する。
【００１０】
図１は、本発明の実施の形態に係る電気掃除機１の全体構成を示す外観斜視図である。この電気掃除機１は、掃除機本体２と吸塵手段３とで大略構成されている。
【００１１】
掃除機本体２は、その上方２ａにハンドル４を備えている。このハンドル４は、この電気掃除機１を用いて部屋等の掃除を行う者（操作者）が掃除機本体２を持ち運ぶ際に保持するためのものである。例えば図１に示すように、掃除機本体２の上方２ａに前側部分２ｂから後側部分２ｃに掛け渡すように設けられ、操作者が保持しやすいようになっている。このハンドル４には、図に示すように操作者にとって見易い位置に、後述するマイナスイオン発生器１１（図２も参照）の動作状態を表示する表示部としてのＬＥＤ１４が設けられている。
【００１２】
また、この掃除機本体２には肩掛け用ベルト６の両端が前側部分２ｂと後側部分２ｃとに装着されていて、操作者は、この肩掛け用ベルト６を肩に掛けて掃除機本体２を持ち運ぶこともできるようになっている。
【００１３】
掃除機本体２の上方２ａには、ハンドル４に対向して吹出し口１２が形成されている。この吹出し口１２は、ハンドル４を保持する操作者（例えばハンドルを保持する操作者の手等）に向けてマイナスイオンを放出するためのものである。
【００１４】
掃除機本体２の前側部分２ｂには吸引口７が設けられ、この吸引口７には集塵手段３が着脱可能に接続される。吸引口７は、吸塵手段３から空気とともに送り込まれる塵埃を吸引して、掃除機本体２内に導くものである。
【００１５】
図２に示すように、掃除機本体２の内部には集塵のための電動送風機５が備えられている。また、掃除機本体２の内部には、吸引口７から吸引された空気から塵埃を遠心分離して溜めるための集塵カップ８、空気をろ過するためのフィルタ９ａ，９ｂも備えられている。吸引口７から吸引された空気は集塵カップ８で旋回され、フィルタ９ａ，９ｂでろ過されて清浄な空気となって、その後、電動送風機５を通って図示しない排気口から掃除機本体２の外部に排気されるようになっている。
【００１６】
この電気掃除機１は、充電して使用するコードレスタイプであるので、蓄電のためのバッテリー１０も掃除機本体２内部に備えている。
【００１７】
掃除機本体２内部にはその上方２ａの壁面付近にマイナスイオン発生器１１が設けられている。このマイナスイオン発生器１１は、電極に高電圧を印加することによりその電極からマイナスイオンを発生させるものであるが、その構成は公知であるので詳細は省略する。
【００１８】
掃除機本体２内部には、マイナスイオン発生器１１の近傍に吹き付け手段としてのファン１３も設けられている。このファン１３は、マイナスイオン発生器１１の電極で発生したマイナスイオンを吹出し口１２から操作者に向けて強制的に吹き付けるためのもので、このファン１３の動作によりマイナスイオンは、より直接的・効果的に操作者に到達することとなる。
【００１９】
吸塵手段３は、吸込口体１５、延長菅１６、手元操作体１７、集塵ホース１８で大略構成されている。
【００２０】
吸込口体１５は、床面等に接することにより直接塵埃等を吸込むためのものであり、その底面（すなわち接地面）に図示しない吸込口を有している。その吸込口と延長菅１６、手元操作体１７内部の風路菅１７ａ（図３も参照）、集塵ホース１８は連通しており、電動送風機５の駆動によって吸込口体１５の吸込口から吸込まれた空気は、延長菅１６、風路菅１７ａ、集塵ホース１８を通って、集塵ホース１８の一端に接続された吸引口７から掃除機本体２内へと送り込まれる。
【００２１】
図３に示すように、手元操作体１７は、風路部１７ｂと手元ハンドル１７ｃとで大略構成され、その風路部１７ｂは内部に延長菅１６、集塵ホース１８と連通する風路菅１７ａを有している。
【００２２】
手元ハンドル１７ｃは、吸込口体１５を操作して床面上等で自在に移動させる際に操作者が保持する部分である。この手元ハンドル１７ｃには、電気掃除機１の主電源スイッチのオン／オフや、動作モードの切替えを手元で行うための各種スイッチ類１７ｄも設けられている。
【００２３】
次に、この電気掃除機１の動作について説明する。この電気掃除機１は充電式のコードレスタイプであるため、使用に先立って図示しない充電装置によって充電しておく必要がある。
【００２４】
充電が完了したら、この電気掃除機１を掃除する部屋に持っていき、掃除を開始する。操作者は掃除機本体２のハンドル４を一方の手で持ち、他方の手で手元操作体１７の手元ハンドル１７ｃを持つ。例えば、本実施の形態においてはハンドル４を左手で持ち、手元ハンドル１７ｃを右手で持つ。
【００２５】
操作者が右手で手元ハンドル１７ｃに設けられた主電源スイッチを押して電気掃除機１の電源をオンにすると電動送風機５が駆動され、吸込口体１５の吸込口から空気が吸込まれる。吸込まれた空気は前述のように、吸引口７を通って掃除機本体２内に送り込まれ、集塵カップ８、フィルタ９ａ，９ｂ、電動送風機５を通って図示しない排気口から掃除機本体２の外部に排気される。
【００２６】
操作者は、ハンドル４を左手で保持して掃除機本体２を持ち運びつつ手元ハンドル１７ｃを左手で保持して吸込口体１５を床面上等自在に操作しながら、部屋の掃除を進めていく。
【００２７】
主電源のオンとともにマイナスイオン発生器１１及びファン１３にも通電されてマイナスイオンが発生する。マイナスイオン発生器１１に通電されると、ハンドル４に設けられたＬＥＤ１４が点灯し、マイナスイオン発生中であることを表示する。それにより、操作者はマイナスイオン発生中であるか否かを容易に確認することができる。
【００２８】
電極からマイナスイオンが発生するとともに、そのマイナスイオンがファン１３によって吹出し口１２から強制的に吹き出される。吹出し口１２は、ハンドル４に対向して掃除機本体２の上方２ａの壁面に形成されており、吹出し口１２から放出されるマイナスイオンは、ハンドル４を保持する操作者に向けて直接到達する。
【００２９】
掃除機本体２内に設けられたマイナスイオン発生器１１があまり大きなものでなく、発生させることのできるマイナスイオン量もあまり大量でない場合であっても、ハンドル４を保持する操作者に向けて強制的かつ直接的にマイナスイオンを吹き付けるので、操作者は掃除を行いながら充分な量のマイナスイオンを浴びたり吸込んだりすることができる。それにより、操作者は充分なマイナスイオン効果を得ることができる。
【００３０】
なお、上記の実施の形態においては、電気掃除機１の主電源オンと同時にマイナスイオン発生器１１も通電されるようになっているが、マイナスイオンが不要の際はいつでも発生を停止できるように、マイナスイオン発生器１１のオンオフスイッチを主電源スイッチと別に設けてももちろんよい。
【００３１】
吹出し口１２をハンドル４に形成してもよい。それにより、ハンドル４を保持する操作者にさらに直接的にマイナスイオンを吹き付けることができ、操作者はより高いマイナスイオン効果を得ることができる。
【００３２】
また、上記の実施の形態においては、操作者が掃除機本体２のハンドル４を左手で保持して掃除する場合を説明しているが、掃除機本体２に装着された肩掛け用ベルト６を肩に掛け、掃除機本体２を肩から下げるようにして掃除を行う場合もある。そのような場合であっても、吹出し口１２は操作者の腰あるいは脇腹のあたりに位置することとなるので、マイナスイオンは操作者の腰あるいは脇腹あたりに強制的に吹き付けられ、上記と同様の効果を得ることができる。
【００３３】
この場合、ハンドル４に対向する位置ではなく、図４に示すように掃除機本体２の上方２ａの壁面やや左側（すなわち図４における紙面手前側）に吹出し口１２を形成すると、操作者が肩掛けベルト６を右肩に掛けて掃除を行う際に吹出し口１２が操作者に近い位置に来ることとなり、よりマイナスイオンが操作者に直接的に到達して高いマイナスイオン効果を得ることができる。
【００３４】
上記実施の形態においては、ハンドル４を保持する操作者に向けて、ファン１３により吹出し口１２からマイナスイオンを吹き付けているが、排気循環式の電気掃除機の場合は、循環させる排気を利用してハンドル４を保持する操作者に向けて上方にマイナスイオンを吹き付ける構成としてもよい。
【００３５】
［変形例］
図５に、本発明の変形例に係る電気掃除機の手元操作体１９の概略構成を示す。この変形例においては、手元操作体１９が風路菅１９ａを有する風路部１９ｂと手元ハンドル１９ｃとで大略構成され、その風路部１９ｂ内の下部にマイナスイオン発生器１１が設けられている。
【００３６】
手元ハンドル１９ｃ内には、吹き付け手段としてのファン１３が上方に設けられ、そのファン１３によって手元ハンドル１９ｃを保持する操作者に向けてマイナスイオンが吹き付けられるように、上方の壁面１９ｅには吹出し口１２が形成されている。
【００３７】
マイナスイオン発生器１１の電極１１ａは、ファン１３と吹出し口１２との間に向かって延びている。また、手元ハンドル１９ｃ上部には、マイナスイオン発生器１１の動作状態を表示するＬＥＤ１４も設けられている。
【００３８】
この変形例に係る電気掃除機によれば、マイナスイオン発生器１１で発生させたマイナスイオンを、ファン１３により強制的に、手元操作体１９に備えられた手元ハンドル１９ｃを保持する操作者に向けて吹出し口１２から吹き付けることができる。その結果、操作者は掃除を行いながら充分な量のマイナスイオンを浴びたり吸込んだりすることができて、充分なマイナスイオン効果を得ることができる。
【００３９】
また、図中に２点鎖線で示すように、操作者が保持する手元ハンドル１９ｃ自体に吹出し口１９ｅを形成してもよい。それにより、マイナスイオンがより一層直接的に操作者に到達することとなり、操作者は高いマイナスイオン効果を得ることができる。
【００４０】
【発明の効果】
以上説明したように、本願の発明によれば、マイナスイオンが操作者に直接到達することとなり、操作者は充分な量のマイナスイオンを浴びたり吸込んだりすることができて、充分なマイナスイオン効果を得ることができる。掃除機本体が肩掛け用のベルトを有して、操作者がその肩掛け用ベルトを肩に掛けて電気掃除機を使用する場合も、上記同様充分なマイナスイオン効果を得ることができる。また、マイナスイオン発生中か否かの確認も容易に行うことができる。
【図面の簡単な説明】
【図１】本発明の実施の形態に係る電気掃除機の全体構成を示す外観斜視図である。
【図２】図１の電気掃除機を構成する掃除機本体の内部構成の概略を示す断面図である。
【図３】手元操作体の概略構成を示す側面図である。
【図４】本発明の実施の形態の他の例に係る電気掃除機の全体構成を示す外観斜視図である。
【図５】本発明の変形例に係る電気掃除機の手元操作体の概略構成を示す部分断面図である。
【符号の説明】
１：電気掃除機
２：掃除機本体
２ａ：上方
４：ハンドル
５：電動送風機
１１：マイナスイオン発生器
１２：吹出し口
１３：ファン（吹き付け手段）
１４：ＬＥＤ（表示部）
１５：吸込口体
１９：手元操作体
１９ａ：風路菅
１９ｃ：手元ハンドル
１９ｅ：壁面
【図１】
2004057228.tif 000003
【図２】
2004057228.tif 000004
【図３】
2004057228.tif 000005
【図４】
2004057228.tif 000006
【図５】
2004057228.tif 000007